(57)【要約】【課題】歩留まりを低下させることなく量産に適用可能なイメージセンサユニットの製造方法、およびこのような製造方法で使用される遮光カバーを提供すること。【解決手段】イメージセンサユニット製造方法であって、  紫外線硬化性組成物を介して、ロッドレンズアレイをイメージセンサユニットの筐体に対して位置決めするステップと、  少なくともロッドレンズアレイのロッドレンズ部分を覆う遮光カバーを、前記筐体に被せるステップと、前記遮光カバーが被せられた筐体の全体に紫外線を照射し、紫外線硬化性組成物を硬化させて、前記ロッドレンズアレイを前記筐体に固定するステップと、前記遮光カバーを取り外すステップと、を備えている、ことを特徴とするイメージセンサユニットの製造方法。【選択図】図２
2014027382.tif 000002
【特許請求の範囲】
【請求項１】
イメージセンサユニット製造方法であって、
紫外線硬化性組成物を介して、ロッドレンズアレイをイメージセンサユニットの筐体に対して位置決めするステップと、
少なくともロッドレンズアレイのロッドレンズ部分を覆う遮光カバーを、前記筐体に被せるステップと、
前記遮光カバーが被せられた筐体の全体に紫外線を照射し、紫外線硬化性組成物を硬化させて、前記ロッドレンズアレイを前記筐体に固定するステップと、
前記遮光カバーを取り外すステップと、を備えている、
ことを特徴とするイメージセンサユニットの製造方法。
【請求項２】
前記紫外線の照射が、前記紫外線が照射される領域を横切って配置されたコンベヤによって、前記筐体を搬送しながら行われる、
請求項１に記載のイメージセンサユニットの製造方法。
【請求項３】
前記紫外線硬化性組成物が、前記筐体とロッドレンズアレイの間の互いに離間した複数箇所に配置され、
前記遮光カバーが、前記紫外線硬化性組成物が配置された部分に対応した開口を備えている、
請求項１または２に記載のイメージセンサユニット製造方法。
【請求項４】
イメージセンサユニット製造方法に用いられる遮光カバーであって、
前記イメージセンサユニットが、紫外線硬化性組成物を介して、ロッドレンズアレイをイメージセンサユニットの筐体に対して位置決めするステップと、少なくともロッドレンズアレイのレンズ部分を覆う前記遮光カバーを、前記筐体に被せるステップと、前記遮光カバーが被せられた全体に筐体に紫外線を照射し、未硬化の紫外線硬化性組成物を硬化させて、前記ロッドレンズアレイを前記筐体に固定するステップと、前記遮光カバーを取り外すステップと、を備え、前記紫外線硬化性組成物が、前記筐体とロッドレンズアレイの間の互いに離間した複数箇所に配置されるイメージセンサユニットの製造方法であって、
前記遮光カバーが、前記紫外線硬化性組成物が配置された部分に対応した開口を備えている、
ことを特徴とする遮光カバー。
【発明の詳細な説明】
【技術分野】
【０００１】
本発明は、概略的には、イメージセンサユニット製造方法およびイメージセンサユニット製造用遮光カバーに関し、詳細には、ロッドレンズアレイが内部に紫外線硬化型樹脂で接着固定されているイメージセンサユニットの製造方法およびその製造方法で使用する遮光カバーに関するものである。
【背景技術】
【０００２】
スキャナ等の画像読み取り装置においては、原稿から画像情報を読み取る際に、所謂密着型イメージスキャナが使用されている。この密着型イメージスキャナには、ライン状光源から照射され原稿で反射した光をロッドレンズアレイでラインセンサに結像させる密着型のイメージセンサユニットが内蔵されている。
【０００３】
この密着型のイメージセンサユニットを製造する際には、ロッドレンズアレイを、イメージセンサユニットを構成する筐体内で正確に位置決めして、固定する必要がある。イメージセンサユニット製造時においてロッドレンズアレイを固定する方法として、紫外線硬化樹脂を用いた方法が知られている（特許文献１）。
【０００４】
上記特許文献１で開示されているイメージセンサユニット製造方法では、未硬化の紫外線硬化樹脂を、イメージセンサユニットの筐体（フレーム）とロッドレンズアレイとの間に配置した状態で、ライトガイドによって紫外光を未硬化の紫外線硬化樹脂にスポット照射して、未硬化の紫外線硬化樹脂を硬化させ、ロッドレンズアレイをイメージセンサユニットの筐体内の所定位置に固定している。
【先行技術文献】
【特許文献】
【０００５】
【特許文献１】再公表特許  ＷＯ２００９／１０４６０２号
【発明の概要】
【発明が解決しようとする課題】
【０００６】
上述したように、引用文献１の構成は、紫外光をライトガイドで未硬化の紫外線硬化樹脂にスポット照射するものであるため、量産には適していないという問題があった。
【０００７】
このため、紫外線硬化性組成物をイメージセンサユニットの筐体（フレーム）とロッドレンズアレイとの間に配置し、このイメージセンサユニットの筐体（フレーム）の全体に紫外線源から照射される紫外線を照射し、紫外線硬化性組成物を硬化させ、ロッドレンズアレイをイメージセンサユニットの筐体（フレーム）の所定位置に固定する方法が提案された。
【０００８】
しかしながら、このような方法では、ロッドレンズアレイ内のロッドレンズがロッドレンズの場合、紫外線硬化性組成物の硬化時に、ロッドレンズアレイ内のロッドレンズが変形し、歩留まりが低下するという問題があった。
【０００９】
本発明は、このような問題を解決するためになされたものであり、歩留まりを低下させることなく量産に適用可能なイメージセンサユニットの製造方法、およびこのような製造方法で使用される遮光カバーを提供することを目的とする。
【課題を解決するための手段】
【００１０】
本発明の発明者は、紫外線硬化性組成物の硬化時のロッドレンズの変形は、紫外光源からの紫外光によってロッドレンズが発熱することによって生じるものであることを知見し、本発明をなしたものである。
【００１１】
本発明によれば、
イメージセンサユニット製造方法であって、
紫外線硬化性組成物を介して、ロッドレンズアレイをイメージセンサユニットの筐体に対して位置決めするステップと、
少なくともロッドレンズアレイのロッドレンズ部分を覆う遮光カバーを、前記筐体に被せるステップと、
前記遮光カバーが被せられた筐体の全体に紫外線を照射し、紫外線硬化性組成物を硬化させて、前記ロッドレンズアレイを前記筐体に固定するステップと、
前記遮光カバーを取り外すステップと、を備えている、
ことを特徴とするイメージセンサユニットの製造方法が提供される。
【００１２】
このような構成によれば、ロッドレンズアレイを固定するための紫外線照射時に、遮光カバーによって、ロッドレンズアレイ内のロッドレンズへの紫外線の照射が遮断されるので、ロッドレンズが発熱して変形し、イメージセンサユニットの歩留まりが低下することが回避される。
【００１３】
本発明の他の好ましい態様によれば、
前記紫外光の照射が、前記紫外線が照射される領域を横切って配置されたコンベヤによって、前記筐体を搬送しながら行われる。
【００１４】
このような構成によれば、紫外線硬化性組成物への紫外光の照射を連続的に行うことができるので、生産効率が向上する。
【００１５】
本発明の他の好ましい態様によれば、
前記紫外線硬化性組成物が、前記筐体とロッドレンズアレイの間の互いに離間した複数箇所に配置され、
前記遮光カバーが、前記紫外線硬化性組成物が配置された部分に対応した開口を備えている。
【００１６】
このような構成によれば、紫外線が、照射が要求されている部分以外の部分には、照射されなくなるので、ロッドレンズアレイの加熱を最小限に抑えることができる。
【００１７】
本発明の他の態様によれば、
イメージセンサユニット製造方法に用いられる遮光カバーであって、
前記イメージセンサユニットが、紫外線硬化性組成物を介して、ロッドレンズアレイをイメージセンサユニットの筐体に対して位置決めするステップと、少なくともロッドレンズアレイのレンズ部分を覆う前記遮光カバーを、前記筐体に被せるステップと、前記遮光カバーが被せられた全体に筐体に紫外線を照射し、紫外線硬化性組成物を硬化させて、前記ロッドレンズアレイを前記筐体に固定するステップと、前記遮光カバーを取り外すステップと、を備え、前記紫外線硬化性組成物が、前記筐体とロッドレンズアレイの間の互いに離間した複数箇所に配置されるイメージセンサユニットの製造方法であって、
前記遮光カバーが、前記紫外線硬化性組成物が配置された部分に対応した開口を備えている、
ことを特徴とする遮光カバーが提供される。
【発明の効果】
【００１８】
本発明によれば、歩留まりを低下させることなく量産に適用可能はイメージセンサユニットの製造方法、およびこのような製造方法で使用される遮光カバーが提供される。
【図面の簡単な説明】
【００１９】
【図１】本発明の好ましい実施形態の製造方法の紫外線硬化性組成物を筐体に付けるステップ等を説明する断面図である。
【図２】本発明の好ましい実施形態の製造方法のロッドレンズアレイが位置決めされた筐体に遮光カバーを被せるステップ等を説明する図面である。
【図３】本発明の好ましい実施形態の製造方法で使用される紫外線照射装置の構成を概略的に説明する図面である。
【発明を実施するための形態】
【００２０】
以下、図面に沿って本願発明の好ましい実施形態のイメージセンサユニット製造方法について説明する。
【００２１】
本実施形態のイメージセンサユニット製造方法で製造されるイメージセンサユニットは、イメージスキャナに使用されるユニットであり、ライン状光源から照射され原稿で反射した光をロッドレンズアレイでライン状受光センサに結像させる密着型のイメージセンサユニットである。例えば、上記特許文献１の図２等に示されているようイメージセンサユニットと同様の基本構成を有するユニットである。
【００２２】
以下、イメージセンサユニットにロッドレンズアレイを固定する工程を説明する。図１は、イメージセンサユニット１０の筐体（フレーム）１２に対してロッドレンズアレイ１４に対して位置決めするステップ等を説明するための断面図である。図２は、ロッドレンズアレイ１４が位置決めされた筐体１２に遮光カバー１６を被せるステップ等を説明する図面である。
【００２３】
本実施形態で使用されるロッドレンズ１４は、図２（ａ）に示されているように、細長い矩形状の２枚の基板１４ａ間に円柱状のロッドレンズ１４ｂが並列配置され、着色された接着剤によって固定された公知のロッドレンズアレイである。
【００２４】
イメージセンサユニット１０の筐体１４は、合成樹脂で構成された断面略Ｈ字状の細長い枠状の部材であり、幅方向中央に、ロッドレンズアレイ１４が、ロッドレンズが上下方向に配向されるように挿入される貫通孔１８が形成されている。貫通孔１８は、筐体１４のほぼ全長にわたって延びている。
【００２５】
貫通孔１８に隣接して、接着剤として機能する紫外線硬化性組成物が注入される凹部２０が、ほぼ等間隔に５つ形成されている。この凹部２０に充填された紫外線硬化性組成物によって、貫通孔１８に挿入されたロッドレンズアレイ１４が、筐体１２に対して固定されることになる。
【００２６】
まず、図１（ａ）に矢印Ａで示されているように、筐体１２の貫通孔１８に、ロッドレンズアレイ１４をロッドレンズが上下方向に配向されるように挿入する。貫通孔１８は、ロッドレンズアレイ１４の断面形状にほぼ等しい断面形状を有している。
【００２７】
次いで、筐体１２の各凹部２０に、未硬化の紫外線硬化樹脂Ｒを注入する（図１（ｂ））。紫外線硬化樹脂としては、ウレタンアクリレート（３０〜４０％），アクリルモノマー（５０〜７０％）を主成分とする樹脂を用いる。例えば、テスク社製ＡＰ８５８ＣＭが使用される。
【００２８】
この結果、未硬化の紫外線硬化樹脂を介して、ロッドレンズアレイ１４が筐体１２に対して位置決めされた状態で仮固定される。
【００２９】
次いで、遮光カバー１６を、図２(ａ)に矢印Ｂで示すように、ロッドレンズアレイ１４が仮固定された筐体１２に被せる。
【００３０】
遮光カバー１６は、筐体１２に上方から嵌合する寸法形状を有する下方に向かって開口した箱状の蓋体であり、ＳＵＳ、または耐ＵＶ樹脂等で形成されている。図２に示されているように、遮光カバー１８の上面には、筐体１２に嵌合したとき、筐体１２に形成されている各凹部２０を露出される開口(切欠部)２２が、形成されている。
【００３１】
この結果、各凹部２０に紫外線硬化性組成物Ｒが充填された筐体１２に遮光カバー１６が被せられると、筐体１２に仮固定されたロッドレンズアレイ１４は遮光カバー１６によって完全に覆われるが、各凹部２０に充填された紫外線硬化性組成物Ｒのみが外部に露出された状態となる(図２(ｂ))。
【００３２】
次いで、遮光カバー１６が被せられた筐体１２の全体に紫外線を照射する。しかしながら、上述したように、各凹部２０に充填された紫外線硬化性組成物Ｒのみが遮光カバー１６から露出しているので、照射された紫外線は、紫外線硬化性組成物Ｒのみ照射されることになる。
【００３３】
この紫外光の照射は、例えば図３に概略的に示されているような紫外線照射装置３０によって実行される。照射装置３０は、上部に紫外光源である高圧水銀ランプ等のＵＶランプ３２が配置されたＵＶ照射部３４と、ＵＶランプ３２の下方の紫外光照射領域を横切って配置された搬送機構(コンベヤ)３６とを備えている。
【００３４】
本実施形態では、遮光カバー１６が被せられた筐体１２を、搬送機構３６に載置し、遮光カバー１６が被せられた筐体１２を、ＵＶランプ３２の下方の紫外光照射領域を、矢印Ｃで示すように、通過させることによって、筐体１２に紫外光を照射し、凹部２０内の未硬化の紫外線硬化樹脂Ｒを硬化させて、ロッドレンズアレイ１４を筐体１２に固定する。
【００３５】
更に、紫外線照射装置３０の下流側で、遮光カバー１６が筐体１２から取り外される。
【００３６】
その後、筐体１２に、イメージセンサユニットの線状光源、ラインセンサ等が取付けられてイメージセンサユニットが完成する
本発明は上記実施形態に限定されることなく、特許請求の範囲に記載された範囲で種々の変更変形が可能である。
【００３７】
例えば、上記実施形態では、遮光カバー１６は、筐体１２の上面の各凹部２０以外のほぼ全ての領域を覆う構成であったが、遮光カバーは、少なくとも、筐体１２に仮固定されロッドレンズアレイのロッドレンズ部分を覆うものであれば、他の構成を有するものでよい。
【符号の説明】
【００３８】
１０：イメージセンサユニット
１２：筐体（フレーム）
１４：ロッドレンズアレイ
１６：遮光カバー
１８：貫通孔
２０：凹部
２２：開口
３０：照射装置
３２：ＵＶランプ
３４：ＵＶ照射部
Ｒ：紫外線硬化性組成物
【図１】
2014027382.tif 000003
【図２】
2014027382.tif 000004
【図３】
2014027382.tif 000005